(57)【要約】【課題】合成樹脂材を用いた大量生産による横笛でも、聴感上優れた音を得ることのできる横笛及びその製造方法を提供する。【解決手段】横笛１は、第一の半割筒２と第二の半割筒３とが合体され、内壁が管尻４側に向かって先細りとなっている筒本体の管頭近傍に反射壁となる隔壁６が設けられ、管尻４が開放されているとともに、第一の半割筒２には隔壁６と管尻４との間に歌口７と指孔８〜１４が適切な位置に適切な大きさで配置されて設けられている。その製造方法は、竹製基準型横笛を製作し、これを分割してそれぞれの金型を製作し、それぞれの金型から作られる第一の半割筒と第二の半割筒とを合わせ端面で接着して製造される。【選択図】図１
2019191210.tif 000002
【特許請求の範囲】
【請求項１】
第一の半割筒と第二の半割筒とが合体され、内筒壁が管尻側に向かって先細りとなっている筒本体の管頭近傍に反射壁となる隔壁が設けられ、管尻が開放されているとともに、
前記第一の半割筒には前記隔壁の位置と前記管尻との間に歌口と複数の指孔が適切な大きさで適切な位置に配置されて設けられていることを特徴とする横笛。
【請求項２】
請求項１に記載の横笛において、
第一及び第二の前記半割筒は、合成樹脂製であり、合体する分割端面には互いに噛みあう凹凸が形成されていることを特徴とする横笛。
【請求項３】
請求項１又は請求項２に記載の横笛の製造方法において、
自然の竹から一品生産的に竹製基準模型横笛を作り、
この竹製基準模型横笛を歌口及び各指孔のある第一の半割筒と第二の半割筒とに縦方向に分割し、
前記第一の半割筒と、前記第二の半割筒と、それぞれの分割された分割端面を含めた全体形状を実測し、それぞれの金型製作用のデータを取り、
前記分割端面に合体させる位置決めと密封できる凹凸形状のデータを加え、
これらデータから金型製作図面を経てあるいは直接に金型加工をして前記第一の半割筒側と前記第二の半割筒側との二種類の樹脂成形金型を作り、
これらの樹脂成形金型に樹脂を注入して前記第一の半割筒側と前記第二の半割筒側とを製作し、それぞれの端面に接着剤を塗布して合体して製作することを特徴とする横笛の製造方法。
【発明の詳細な説明】
【技術分野】
【０００１】
本発明は、横笛及びその製造方法に関する。
【背景技術】
【０００２】
従来、自然の篠竹を使用することなく、経験則から直接に設計・製造された、アルミニウム等金属或いはプラスチックからなる円筒体により横笛が大量生産されている（例えば、特許文献１参照）。
【先行技術文献】
【特許文献】
【０００３】
【特許文献１】特開２００２−１３２２５３号公報
【発明の概要】
【発明が解決しようとする課題】
【０００４】
しかしながら、上記従来の合成樹脂製の管を本体とする横笛では、音色や音質、音の豊かさ、音の表現力といったものが、いわゆる、一品製作による竹製の物に比べて格段に劣るという問題があった。
【０００５】
本発明は、上記問題に鑑みてなされたもので、合成樹脂材を用いた大量生産による横笛でも、聴感上優れた音を得ることのできる横笛及びその製造方法を提供することを目的とする。
【課題を解決するための手段】
【０００６】
本発明に係る横笛は、第一の半割筒と第二の半割筒とが合体され、内筒壁が管尻側に向かって先細りとなっている筒本体の管頭近傍に反射壁となる隔壁が設けられ、管尻が開放されているとともに、前記第一の半割筒には前記隔壁の位置と前記管尻との間に歌口と複数の指孔が適切な大きさで適切な位置に配置されて設けられていることを特徴とする。
【０００７】
本発明に係る横笛の製造方法は、自然の竹から一品生産的に竹製基準模型横笛を作り、この竹製基準模型横笛を歌口及び各指孔のある第一の半割筒と、第二の半割筒とに縦方向に分割し、前記第一の半割筒と、前記第二の半割筒と、それぞれの分割された分割端面を含めた全体形状を実測し、それぞれの金型製作用のデータを取り、前記分割端面に合体させる位置決めと密封できる凹凸形状のデータを加え、これらデータから金型製作図面を経てあるいは直接に金型加工をして前記第一の半割筒側と前記第二の半割筒側の二種類の樹脂成形金型を作り、この樹脂成形金型に樹脂を注入して前記第一の半割筒側と前記第二の半割筒側を製作し、それぞれの分割端面に接着剤を塗布して合体して製作することを特徴とする。
【発明の効果】
【０００８】
この発明によれば、合成樹脂材を用いた横笛が大量生産できるとともに、一品生産で得られる仕上がりでもって、聴感上優れた音を得ることができる横笛を提供できる。
【図面の簡単な説明】
【０００９】
【図１】本発明の一実施例を示す横笛の全体斜視図である。
【図２】第一の半割筒を内側から見た状態を示す全体斜視図である。
【図３】第一の半割筒を管頭側から見た状態を示す部分斜視図である。
【図４】第二の半割筒を管頭側から見た状態を示す部分斜視図である。
【発明を実施するための形態】
【００１０】
以下、本発明をその実施形態を示す添付の図面を参照して説明する。
【００１１】
図１に示す横笛１は、長手方向に分割された第一の半割筒２と第二の半割筒３とが合体されて形成されている。
【００１２】
また、図２に示すように、横笛１は、内壁が管尻４側に向かって先細りとなっている筒本体の管頭近傍に反射壁となる隔壁６が設けられ、管尻４が開放されている。
【００１３】
図２に示す第一の半割筒２には、隔壁６と管尻４との間に歌口７と複数の指孔８〜１４が適切な大きさで適切な位置に配置されて設けられている。
【００１４】
なお、第一の半割筒２及び第二の半割筒３の内筒壁１９には、適切な大きさの、適切な間隔に設けられた歌口７、指孔８〜１４が図面上に明確に表されていない。けれども、隔壁６、歌口７、指孔８〜１４の隣接する相互間には、チューニングにより最適音調（音程調整）となるべく削られて容積に対応した歌口７、指孔８〜１４を含む内筒壁１９の形状が形成されている。
【００１５】
隔壁６は、第一の半割筒２に一体でもよく、別体で切込溝１７に差し込まれていてもよい。
【００１６】
第一の半割筒２及び第二の半割筒３は、合成樹脂製であり、合体する分割端面１５、１６には互いに噛みあう凹凸が形成されている。
【００１７】
第一の半割筒２及び第二の半割筒３は、その管頭部分が、図３、図４に示されている。この管頭部分の開放端には端末栓５が設けられ、端末を蓋している。
【００１８】
端末栓５は第一の半割筒２あるいは第二の半割筒３のいずれかに一体でもよく、別体で切込溝１８に差し込まれていてもよい。そして、第一の半割筒２と第二の半割筒３とが、分割端面１５、１６に塗布された接着剤で合体され、図１のように横笛１となっている。
【００１９】
ここで、横笛の製造方法の一例としては、以下に示す各工程を順に行うことができる。
【００２０】
すなわち、適当と思われる篠竹から必要長さを切り取り、管頭から管尻に至る節を図示しない突き鉋などの道具で抜いて貫通させ、外筒部を削り滑らかにする。
【００２１】
図示しない柄付きの紙やすりを使用して内筒壁１９を開放端から差し込んで滑らかとなるように削る。
【００２２】
このとき、内筒壁１９の径を略均一にし、まず、歌口７を経験則から位置とやや小さめに形成する。次に、複数の指孔８〜１４をやや小さめの大きさでそれぞれの位置を経験則から形成する。管頭側に反射壁である隔壁６を作り、管尻側を先細りにする。
【００２３】
隔壁６と歌口７、歌口７と第一の指孔８及び各指孔９〜１４の大きさを大きくし、相互間の内筒壁１９を削り、それぞれチューニングしながら音程を調整して適切な容積となるような形状にさらに内筒壁１９を全体として先細りにする。柄付き鉋で削り、チューニングしながら微調整を繰り返して最適な音となる竹製の横笛を作る。
【００２４】
柄付き鉋で削ることで形成されたこの篠笛の状態のものを、製作金型を作るための竹製基準模型横笛とする。
【００２５】
この竹製基準模型横笛を歌口及び指孔がある側の第一の半割筒と、その反対側の第二の半割筒とに縦方向に二分割する。
【００２６】
第一の半割筒と、その反対側の第二の半割筒と、それぞれの分割した分割端面を含めて全体形状を実測し、それぞれの金型製作用のデータを取る。
【００２７】
第一の半割筒と第二の半割筒との合わせ分割端面に合体させる際に位置決めがしっかりできることと密封性を良くすることの目的でかみ合い凹凸形状のデータを加える。
【００２８】
これらのデータから金型製作図面を経てあるいは直接に金属加工をして第一の半割筒側と第二の半割筒側の二種類の樹脂成形用の製作金型を作る。この樹脂成形金型は射出成形用である。
【００２９】
第一の半割筒の雌金型と雄金型からなる射出成形型に樹脂を溶融射出し、樹脂製の第一の半割筒２を大量に作る。同様に樹脂製の第二の半割筒３を大量に作る。
【００３０】
第一の半割筒２及び第二の半割筒３の樹脂成形に用いる合成樹脂は、ＡＢＳ（Acrylonitrile Butadiene Styrene）樹脂、ＰＰ（Polypropylene）樹脂、ＰＥ（Polyethylene）樹脂のいずれかである。
【００３１】
合成樹脂には、グラスファイバ、カーボンファイバ、竹繊維及び炭化竹粉末のいずれか一つが混練されていてもよい。製造時に樹脂に竹繊維、カーボンファイバ、グラスファイバを短繊維にして混入することによって、質感、重量感、色調感、音質に影響を与える。また、竹のような細かいテクスチャを金型に施して竹模様を出してもよい。
【００３２】
このように、第一の半割筒２及び第二の半割筒３はそれぞれ樹脂成形型を用いて合成樹脂にて大量に樹脂成形される。
【００３３】
その後、大量に生産された中から、任意な第一の半割筒２及び第二の半割筒３を取り出して、それぞれの合体する分割端面１５、１６に接着剤を塗布して接着合体され、筒本体とされた樹脂製横笛が作られる。
【００３４】
これにより、第一の半割筒２と第二の半割筒３とが合体され、内壁が管尻４側に向かって先細りとなっている筒本体の管頭近傍に反射壁となる隔壁６が設けられ、管尻４が開放されるとともに、第一の半割筒２には隔壁６と管尻４との間に歌口７と複数の指孔８〜１４が適切な大きさで適切な位置に配置され設けられている横笛１とすることができる。
【符号の説明】
【００３５】
１  横笛
２  第一の半割筒
３  第二の半割筒
４  管尻
５  端末栓
６  隔壁（反射壁）
７  歌口
８、９、１０、１１、１２，１３、１４  指孔
１５、１６  分割端面
１７、１８  切込溝
１９  内筒壁
【図１】
2019191210.tif 000003
【図２】
2019191210.tif 000004
【図３】
2019191210.tif 000005
【図４】
2019191210.tif 000006